(57)【要約】【課題】側面から空気を吸入して熱交換した後に天面から空気を吹き出すタイプの冷凍装置の室外ユニットに設けられる電装品箱において、箱内スペースの無駄を省いて、コンパクト化を実現する。【解決手段】室外ユニット１の電装品箱１５は、箱本体５１と、蓋部材５２と、仕切板５３とを備えている。箱本体５１は、ケーシング１２の前板２３に対向するように設けられ、前板２３側に開口を有する。蓋部材５２は、箱本体５１の開口を覆うように配置される。仕切板５３は、箱本体５１内に設けられ、箱本体５１内の空間を蓋部材５２側の手前側空間Ｃと蓋部材５２と反対側の奥側空間Ｄとに仕切る。【選択図】  図３
2004156814.tif 000002
【特許請求の範囲】
【請求項１】
側面から空気を吸入して熱交換した後に天面から空気を吹き出すタイプの冷凍装置の室外ユニット（１、１０１）のケーシング（１２）内に設けられ、電気部品（６１ａ〜６１ｃ、６２ａ、６２ｂ、６３ａ〜６３ｄ、６４）を収納する室外ユニットの電装品箱（１５、１１５）であって、
前記ケーシングの一側面に対向するように設けられ、一側面（２３）側に開口を有する箱本体（５１、１５１）と、
前記箱本体の開口を覆うように配置される蓋部材（５２）と、
前記箱本体内に設けられ、前記箱本体内の空間を前記蓋部材側の手前側空間（Ｃ）と前記蓋部材と反対側の奥側空間（Ｄ）とに仕切る仕切板（５３）と、
を備えた室外ユニットの電装品箱（１５、１１５）。
【請求項２】
前記仕切板（５３）は、樹脂製である、請求項１に記載の室外ユニットの電装品箱（１５、１１５）。
【請求項３】
前記電気部品（６１ａ〜６１ｃ、６２ａ、６２ｂ、６３ａ〜６３ｄ、６４）は、前記室外ユニット（１、１０１）の設置後にアクセスする頻度の多い第１電気部品（６３ａ〜６３ｄ、６４）と、前記室外ユニットの設置後にアクセスする頻度の少ない第２電気部品（６１ａ〜６１ｃ、６２ａ、６２ｂ）とを含んでおり、
前記第１電気部品は、前記手前側空間（Ｃ）に配置されている、
請求項１又は２に記載の室外ユニットの電装品箱（１５、１１５）。
【請求項４】
前記電気部品（６１ａ〜６１ｃ、６２ａ、６２ｂ、６３ａ〜６３ｄ、６４）は、運転時の発熱量の小さい低発熱部品（６４）と、運転時の発熱量の大きい高発熱部品（６１ａ〜６１ｃ）とを含んでおり、
前記高発熱部品は、前記奥側空間（Ｄ）に配置されている、
請求項１〜３のいずれかに記載の室外ユニットの電装品箱（１５、１１５）。
【請求項５】
前記箱本体（５１、１５１）は、前記ケーシング（１２）の一側面（２３）の反対側に向かって突出する放熱フィン（５４、５５）を有している、請求項４に記載の室外ユニットの電装品箱（１５、１１５）。
【請求項６】
前記仕切板（５３）は、前記手前側空間（Ｃ）と前記奥側空間（Ｄ）とを連通する窓部（５７）を有している、請求項１〜５のいずれかに記載の室外ユニットの電装品箱（１５、１１５）。
【請求項７】
前記箱本体（５１、１５１）は、一部に前記ケーシング（１２）の一側面（２３）の反対側に向かって膨出する膨出部（５６、１５６）を有している、請求項１〜６のいずれかに記載の室外ユニットの電装品箱（１５、１１５）。
【請求項８】
前記膨出部（５６、１５６）は、前記箱本体（５１、１５１）の下部に設けられている、請求項７に記載の室外ユニットの電装品箱（１５、１１５）。
【請求項９】
前記箱本体（１５１）は、金属製の板金箱部（１５８）と、樹脂製の樹脂箱部（１５９）とから構成されている、請求項７に記載の室外ユニットの電装品箱（１１５）。
【請求項１０】
前記膨出部（１５６）は、前記箱本体（１５１）の下部に設けられており、
前記板金箱部は、前記箱本体（１５１）の上部を構成し、
前記樹脂箱部（１５９）は、前記膨出部（１５６）を含む前記箱本体の下部を構成している、
請求項９に記載の室外ユニットの電装品箱（１１５）。
【発明の詳細な説明】
【０００１】
【発明の属する技術分野】
本発明は、室外ユニットの電装品箱、特に、側面から空気を吸入して熱交換した後に天面から空気を吹き出すタイプの冷凍装置の室外ユニットのケーシング内に設けられ、電気部品を収納する室外ユニットの電装品箱に関する。
【０００２】
【従来の技術】
冷凍装置の１つである空気調和装置における室外ユニットとして、側面から空気を吸入して熱交換した後に天面から空気を吹き出すタイプのものがある。このような室外ユニットは、ビル等の空気調和に使用されるものであり、ビルの屋上等に設置されるとともに、複数の室内ユニットと連絡配管を介して接続されている。このような室外ユニットは、略直方体形状のケーシングと、その内部に配置された圧縮機、熱交換器及び送風ファン等の機器とを備えている。ケーシングの側面には空気吸入口が設けられており、ケーシングの上部には上方に向く空気吹出口が設けられている。具体的には、空気吸入口は、ケーシングの前面を除いた２つの側面及び後面に設けられている。熱交換器は、空気吸入口から吸入された空気と熱交換するための機器であり、各空気吸入口に対向するようにケーシング内に配置されている。圧縮機等の機器は、ケーシングの底部に配置されている。送風ファンは、熱交換器において熱交換された空気を空気吹出口から吹き出すためのプロペラファンであり、ケーシングの上部において、空気吹出口に対応するように設けられている。さらに、ケーシング内には、インバータや制御基板等の電気部品が収納された電装品箱が、前面に対向するように設けられており、前面側からアクセス可能になっている。より具体的には、電装品箱は、略直方体形状の箱であり、ケーシングを前面側から見た場合において、送風ファンの下側に設けられている。また、電装品箱は、ケーシングを天面側から見た場合において、両側面側に向かって細長い形状を有している。さらに、電装品箱は、ケーシングを前面側から見た場合において、左右の２つの空間に分けられている（例えば、特許文献１参照。）。
【０００３】
【特許文献１】
特開平６−２８１２０４号公報（第３−４頁、第１−３図）
【０００４】
【発明が解決しようとする課題】
上記の室外ユニットの電装品箱においては、平面的に分けられた２つの空間の一方にインバータやリアクタ等の強電部品を含む発熱量の大きい電気部品（高発熱部品）が配置され、他方に制御基板等の弱電部品を含む発熱量の小さい電気部品（低発熱部品）が配置される等のように、電気部品が機能や特性に応じて分けられて配置されている。
【０００５】
上記の室外ユニットにおいては、コンパクト化が求められており、特に、輸送等の観点から室外ユニットを天面から見た場合の寸法を小さくすることが求められている。しかし、室外ユニットを天面から見た場合の寸法に制約を設けると、左右２つの空間を有する電装品箱を配置することがスペース的に困難になる。このため、電装品箱のコンパクト化が必要になる。
【０００６】
しかし、電装品箱内に配置される電気部品には様々なサイズのものが含まれているため、左右２つの空間を有する電装品箱の場合、前面から後面側への張り出し長さは、サイズの大きな電気部品によって決定されてしまい、電装品箱内のスペースに無駄が生じやすい。しかも、室外ユニットを天面から見た場合寸法を小さくしようとすると、電装品箱の後面側への張り出しが大きくなってしまい、ケーシング内部を下から上に向かう空気の流れを妨げて、通風抵抗を増加させてしまう。これにより、送風ファンの送風性能の低下や騒音の増加が生じるおそれがある。
【０００７】
このように、左右２つの空間を有し平面的に電気部品を配置する電装品箱の構造では、コンパクト化が困難である。もちろん、電装品箱を複数個に分けて、送風ファンによる送風仕事を妨げることのない場所に配置することも考えられるが、これでは、電装品箱の組み立て工数が増加したり、室外ユニット設置後の電装品箱へのアクセス性が損なわれてしまう。また、電気部品を機能や特性に応じて分けて配置することも困難になる。
【０００８】
本発明の課題は、側面から空気を吸入して熱交換した後に天面から空気を吹き出すタイプの冷凍装置の室外ユニットに設けられる電装品箱において、箱内スペースの無駄を省いて、コンパクト化を実現することにある。
【０００９】
【課題を解決するための手段】
請求項１に記載の室外ユニットの電装品箱は、側面から空気を吸入して熱交換した後に天面から空気を吹き出すタイプの冷凍装置の室外ユニットのケーシング内に設けられ、電気部品を収納する室外ユニットの電装品箱であって、箱本体と、蓋部材と、仕切板とを備えている。箱本体は、ケーシングの一側面に対向するように設けられ、一側面側に開口を有する。蓋部材は、箱本体の開口を覆うように配置される。仕切板は、箱本体内に設けられ、箱本体内の空間を蓋部材側の手前側空間と蓋部材と反対側の奥側空間とに仕切る。
【００１０】
この電装品箱では、箱本体を仕切板によって手前側空間と奥側空間とに分けた２層構造として電気部品を収納できるようにしているため、種々の形状・サイズを有する電気部品を平面的のみならず、立体的に配置することができるため、箱本体内のスペースの無駄を省いて、コンパクト化することが可能になる。
請求項２に記載の室外ユニットの電装品箱は、請求項１において、仕切板は、樹脂製である。
【００１１】
この電装品箱では、手前側空間と奥側空間とを容易に電気的に遮断することが可能である。また、仕切板に直接電気部品を装着することが可能になる。
請求項３に記載の室外ユニットの電装品箱は、請求項１において、電気部品は、室外ユニットの設置後にアクセスする頻度の多い第１電気部品と、室外ユニットの設置後にアクセスする頻度の少ない第２電気部品とを含んでいる。第１電気部品は、手前側空間に配置されている。
【００１２】
この電装品箱では、室外ユニットの設置後にアクセス頻度の多い制御基板等の第１電気部品を手前側空間に配置しているため、制御基板の設定時等に、蓋部材を取り外すだけで容易にアクセスすることが可能である。
請求項４に記載の室外ユニットの電装品箱は、請求項１〜３のいずれかにおいて、電気部品は、運転時の発熱量の小さい低発熱部品と運転時の発熱量の大きい高発熱部品とを含んでいる。高発熱部品は奥側空間に配置されている。
【００１３】
この電装品箱では、制御基板等のような低発熱部品に比べて、発熱量の大きいインバータやリアクタ等の高発熱部品が奥側空間に配置されているため、ケーシング内を流れる空気流を利用して冷却し易くなっている。
請求項５に記載の室外ユニットの電装品箱は、請求項４において、箱本体は、ケーシングの一側面の反対側に向かって突出する放熱フィンを有している。
【００１４】
この電装品箱では、ケーシングの一側面の反対側に向かって突出する放熱フィンによって、ケーシング内を流れる空気流による奥側空間の冷却を促進することができる。
請求項６に記載の室外ユニットの電装品箱は、請求項１〜５において、仕切板は、手前側空間と奥側空間とを連通する窓部を有している。
【００１５】
この電装品箱では、仕切板に窓部が設けられており、仕切板を装着したままの状態で奥側空間に配置された電気部品にアクセスできるため、例えば、室外ユニット設置後に頻度の少ない第２電気部品にアクセスしなければならない場合が生じても仕切板を装着したままの状態でアクセス可能である。また、室外ユニット設置後に頻度の多い第１電気部品を奥側空間に設置することも可能になる。
【００１６】
請求項７に記載の室外ユニットの電装品箱は、請求項１〜６のいずれかにおいて、箱本体は、一部に前記ケーシングの一側面の反対側に向かって膨出する膨出部を有している。
この電装品箱では、膨出部を設けることによって、手前側空間及び奥側空間の一部を広くすることができるため、ノイズフィルタ等の長寸の電気部品を配置することが可能である。
【００１７】
請求項８に記載の室外ユニットの電装品箱は、請求項７において、膨出部は、箱本体の下部に設けられている。
この電装品箱では、膨出部が箱本体の下部に設けられているため、室外ユニット内の通風抵抗の増加を抑えることができる。
請求項９に記載の室外ユニットの電装品箱は、請求項７において、箱本体は、金属製の板金箱部と樹脂製の樹脂箱部とから構成されている。
【００１８】
この電装品箱では、インバータやリアクタ等の発熱量の大きい高発熱部品を板金箱部に配置して、放熱を促進することが可能である。
請求項１０に記載の室外ユニットの電装品箱は、請求項９において、膨出部は、箱本体の下部に設けられている。板金箱部は、箱本体の上部を構成している。樹脂箱部は、膨出部を含む箱本体の下部を構成している。
【００１９】
この電装品箱では、膨出部が樹脂成形により形成されているため、成形が容易である。また、箱本体の一部を樹脂にすることにより、電装品箱のコストダウンにも寄与できる。
【００２０】
【発明の実施の形態】
以下、本発明の実施形態を図面に基づいて説明する。
［第１実施形態］
（１）室外ユニットの構成
図１に本発明の第１実施形態にかかる冷凍装置の１つである空気調和装置の室外ユニット１を示す。室外ユニット１は、マルチタイプの空気調和装置を構成しており、ビルの屋上等に設置されるとともに、複数の室外ユニットに連絡配管を介して接続されている。
【００２１】
室外ユニット１は、側面から空気を吸入して熱交換した後に天面から空気を吹き出すタイプであり、ケーシング１２と、ケーシング１２の内部に収納された室外側冷媒回路１３と、ケーシング１２の上部に設けられた送風ファン１４と、ケーシング１２の内部に収納された電装品箱１５とを備えている。
ケーシング１２は、略直方体形状であり、主に、４つの角部にそれぞれ配置された支柱２１と、天板２２と、前板２３と、後板２４と、１対の側板２５と、底板２６とから構成されている。
【００２２】
支柱２１は、ケーシング１２の各角部の上端から下端まで延びる柱状の部材であり、天板２２、前板２３、後板２４、１対の側板２５及び底板２６を固定・支持している。
天板２２は、中央に設けられた開口からなる空気吹出口２２ａ（天面）を有しており、開口の上部を覆うようにファングリル２２ｂが設けられている。そして、ケーシング１２内に吸入された空気は、空気吹出口２２ａから上方に向かって吹き出されるようになっている。
【００２３】
前板２３は、本実施形態において、天板２２の下側に配置される上部前板２３ａと、上部前板２３ａの下側に配置される中部前板２３ｂと、中部前板２３ｂの下側に配置される下部前板２３ｃとから構成されている。このように、前板２３は、上中下３分割の構造になっている。
後板２４は、ケーシング１２内に空気を吸入するための空気吸入口２４ａを有している。本実施形態において、空気吸入口２４ａは、詳細は図示しないが、ほぼ全面に設けられた開口からなる。１対の側板２５は、ケーシング１２内に空気を吸入するための空気吸入口２５ａを有している。本実施形態において、空気吸入口２５ａは、前板２３近傍を除く面に設けられた開口からなる。これらの空気吸入口２４ａ、２５ａからケーシング１２内に、空気が吸入されるようになっている。
【００２４】
底板２６は、室外側冷媒回路１３を構成する機器及び配管類を支持・固定している。また、底板２６は、据付面との間にスペースができるように、４つの支柱２１に支持されている。
室外側冷媒回路１３は、圧縮機１３ａ、熱交換器１３ｂ等及びこれらの機器を接続する配管類から構成されている。圧縮機１３ａや熱交換器１３ｂ等の主要な機器は、底板２６に固定されている。すなわち、室外側冷媒回路１３を構成する機器及び配管類は、主として、ケーシング１２の下部に配置されている。熱交換器１３ｂは、略Ｕ字形状であり、３つの空気吸入口２４ａ、２５ａに対向するように配置されている。熱交換器１３ｂは、空気吸入口２４ａ、２５ａから吸入された空気と冷媒とを熱交換させることが可能である。
【００２５】
送風ファン１４は、プロペラファンであり、ケーシング１２の上部において、空気吹出口２２ａに対応するように配置されている。送風ファン１４は、複数のプロペラ翼１４ａと、プロペラ翼１４ａの内周部を固定するハブ１４ｂと、ハブ１４ｂを回転駆動するファンモータ１４ｃとを有している。ファンモータ１４ｃは、図示しない支持フレームを介して、ケーシング１２に固定されている。より具体的には、送風ファン１４は、上部前板２３ａの上下方向位置に対応する位置に配置されている。これにより、送風ファン１４は、空気吸入口２４ａ、２５ａを通じて、室外空気をケーシング１２の側面からケーシング１２の内部に吸入して、熱交換器１３ｂを通過させた後、ケーシング１２の上部に導いて空気吹出口２２ａから吹き出すことが可能である。
【００２６】
電装品箱１５は、各種電気部品が収納された箱体であり、前板２３に対向するように配置されている。より具体的には、電装品箱１５は、室外側冷媒回路１３を構成する多くの機器及び配管類が配置されたケーシング１２の下部を避けて、中部前板２３ｂに対向するように配置されている。すなわち、電装品箱１５は、送風ファン１４の下側であって、下部前板２３ｃよりも上側に配置されている。
【００２７】
（２）電装品箱の構造
この電装品箱１５について、図２〜図４を用いて説明する。ここで、図２は、室外ユニット１を図１のＡ方向から見た図であって、圧縮機１３ａ等を除いたケーシング１２の内部断面を示した図である。図３は電装品箱１５の外観を示す斜視図であり、図４は図３をＥ方向から見た図である。
【００２８】
電装品箱は、箱本体５１と、蓋部材５２と、仕切板５３とから主に構成されている。箱本体５１は、ケーシング１２の前板２３に対向するように設けられ、前板２３側に開口を有する箱状の部材である。蓋部材５２は、箱本体５１の開口を覆うように配置された板状の部材である。仕切板５３は、箱本体５１内に設けられ、箱本体５１内の空間をケーシング１２の前板２３側（蓋部材５２側）の手前側空間Ｃと、ケーシング１２の後板２４側（蓋部材５２と反対側）の奥側空間Ｄとに仕切るように設けられている。すなわち、電装品箱１５は、手前側空間Ｃ及び奥側空間Ｄの２つの空間に電気部品を収納可能な２層構造になっている。
【００２９】
▲１▼箱本体
箱本体５１は、１対の側面部５１ａと、後面部５１ｂと、上面部５１ｃと、下面部５１ｄとから構成されている。本実施形態において、箱本体５１は、板金製である。
側面部５１ａは、その下部がケーシング１２の後板２４側に向かって膨出した略Ｌ字形状の部分である。側面部５１ａは、上側の奥行き長さＬａを有する上側側面部５１ｅと、上側側面部５１ｅの下側に設けられ奥行き長さＬａよりも大きい奥行き長さＬｂを有する下側側面部５１ｆとから構成されている。また、側面部５１ａのケーシング１２の前板２３側には、蓋部材５２を固定するための蓋固定部５１ｇが設けられている。また、上側側面部５１ｅには、矩形形状の孔からなる矩形孔部５１ｈが設けられている。
【００３０】
後面部５１ｂは、箱本体５１のケーシング１２の後板２４側の面を構成する部分である。後面部５１ｂは、側面部５１ａの上側側面部５１ｅに対応する上側後面部５１ｉと、側面部５１ａの下側側面部５１ｆに対応する下側後面部５１ｊとから構成されている。また、上側後面部５１ｉには、ケーシング１２の後板２４側に向かって突出する放熱フィン５４、５５が設けられている。
【００３１】
上面部５１ｃは、箱本体５１の天板２２側の面を構成する部分であり、ケーシング１２の内部に向かうとともに下方に向かって傾斜している。上面部５１ｃには、図示しないケーシング１２の支持フレームによって固定される上部固定部５１ｋが設けられている。
下面部５１ｄは、箱本体５１の底板２６側の面を構成する部分であり、蓋部材５２側の一部が切り欠かれている。また、下面部５１ｄには、図示しないケーシング１２の支持フレームによって固定される下部固定部５１ｍが設けられている。
【００３２】
そして、１対の側面部５１ａの下側側面部５１ｆと、後面部５１ｂの下側後面部５１ｊと、下面部５１ｄとは、ケーシング１２の後板２４側に膨出した膨出部５６を構成しており、空間Ｃ及びＤの奥行きが広くなっている。
▲２▼蓋部材
蓋部材５２は、略長方形状の板状部材であり、蓋固定部５１ｇにネジ止め等により固定されている。本実施形態において、蓋部材５２は、板金製である。
【００３３】
▲３▼仕切板
仕切板５３は、本実施形態において、上部仕切板５３ａ及び下部仕切板５３ｂの２枚の板状部材から構成されている。本実施形態において、仕切板５３ａ、５３ｂは、樹脂製である。
上部仕切板５３ａは、箱本体５１内の側面部５１ａの上側側面部５１ｅに対応する位置に設けられた板状の部材である。上部仕切板５３ａの両側面には、矩形形状の突起からなる嵌合部５３ｃが設けられている。上部仕切板５３ａは、嵌合部５３ｃが上側側面部５１ｅに設けられた矩形孔部５１ｈに嵌合されることによって支持されている。
【００３４】
下部仕切板５３ｂは、箱本体５１内の側面部５１ａの下側側面部５１ｆに対応する位置に設けられた板状の部材である。下部仕切板５３ｂの下部には、箱本体５１の下面部５１ｄに支持される支持部５３ｄが設けられている。
そして、上部仕切板５３ａと下部仕切板５３ｂとの上下方向間には、手前側空間Ｃと奥側空間Ｄとを連通する窓部５７が形成されている。
【００３５】
▲４▼電気部品の配置
次に、電装品箱１５内における電気部品の配置について、図３〜図６を用いて説明する。ここで、図５は電装品箱１５の蓋部材５２を取り外した状態を示す斜視図であり、図６は電装品箱１５の仕切板５３を取り外した状態を示す分解斜視図である。
【００３６】
電装品箱１５内に収納される主要な電気部品としては、圧縮機１３ａ及び送風ファン１４用のインバータ６１ａ、６１ｂやリアクタ６１ｃ等を含む強電部品と、インバータ６１ａ、６１ｂ用のノイズフィルタ６２ａ、６２ｂと、端子台６３ａ〜６３ｄと、制御基板６４等の弱電部品とがある。ここで、インバータ６１ａ、６１ｂ及びリアクタ６１ｃは運転中の発熱量が大きい高発熱部品であり、また、制御基板６４は運転中の発熱量が小さい低発熱部品である。
【００３７】
高発熱部品であるインバータ６１ａ、６１ｂ及びリアクタ６１ｃは、運転中の冷却を促進するため、奥側空間Ｄに配置されている。具体的には、インバータ６１ａは放熱フィン５４に対応する位置に配置され、インバータ６１ｂは放熱フィン５５に対応する位置に配置され、リアクタ６１ｃはインバータ６１ｂの上側に配置されている。一方、低発熱部品である制御基板６４は、手前側空間Ｃに配置されており、仕切板５３（本実施形態では、上部仕切板５３ａ）に直接固定されている。すなわち、電装品箱１５内には、高発熱部品と低発熱部品とが空間Ｃ及びＤに分割されて配置されている。
【００３８】
また、端子台６３ａ〜６３ｄ及び制御基板６４（第１電気部品）は、室外ユニット１の設置後にアクセスをする頻度が多いという特性を考慮して、手前側空間Ｃに配置されている。具体的には、端子台６３ａ〜６３ｄは下部仕切板５３ｂに装着されており、制御基板６４は上部仕切板５３ａに装着されている。尚、仕切板５３ａ、５３ｂは、樹脂製であり、箱本体５１とは電気的に絶縁可能であるため、端子台６３ａ〜６３ｄ及び制御基板６４は、仕切板５３ａ、５３ｂに直接装着されている。一方、室外ユニット１の設置後にアクセスをする頻度が少ないインバータ６１ａ、６１ｂ、リアクタ６１ｃ及びノイズフィルタ６２ａ、６２ｂ（第２電気部品）は、奥側空間Ｄに配置されている。但し、奥側空間Ｄに配置されたインバータ６１ａ、６１ｂについても、仕切板５３ａ、５３ｂとの上下方向間に形成された窓部５７を介して、端子接続部等が蓋部材５２側から見えるようになっており（図４参照）、仕切板５３を取り外すことなく必要最低限のアクセスが可能である。
【００３９】
さらに、奥側空間Ｄの下部、すなわち、膨出部５６の奥側空間Ｄ側には、比較的長寸の電気部品であるノイズフィルタ６２ａ、６２ｂが配置されている。すなわち、箱本体５１上部の奥行きの狭い空間には制御基板６４やインバータ６１ａ、６１ｂ等の板状の電気部品を配置し、箱本体５１下部（具体的には膨出部５６）の奥行きの広い空間には比較的長寸のノイズフィルタ６２ａ、６２ｂや端子台６３ａ〜６３ｄ等が配置されている。これにより、電装品箱１５のスペース性が向上している。
【００４０】
（３）室外ユニットの動作
次に、室外ユニット１の動作について、図２を用いて説明する。
室外ユニット１の運転中は、送風ファン１４が駆動されることにより、空気吸入口２４ａ、２５ａを介して、ケーシング１２の側面から内部に空気が吸入される。ケーシング１２内に吸入された空気は、空気吸入口２４ａ、２５ａに対向して設けられた熱交換器１３ｂを通過して熱交換される。熱交換された空気は、上方に向かって流れ、送風ファン１４のプロペラ翼１４ａによって上方に掻き出されて、空気吹出口２２ａから吹き出す。このため、ケーシング１２内に吸入された空気は、熱交換器１３ｂを通過した後、ケーシング内部に向かうとともに、上方の空気吹出口２２ａに向かうような流線を描いて流れている。例えば、電装品箱１５の後板２４側の部分近くには、流線Ｂのような空気の流れが生じている。
【００４１】
ここで、電装品箱１５内のインバータ６１ａ、６１ｂ及びリアクタ６１ｃは、圧縮機１３ａ及び送風ファン１４が運転している間、常に発熱している。しかし、インバータ６１ａ、６１ｂ及びリアクタ６２が奥側空間Ｄに配置されるとともに箱本体５１の後面部５１ｂに装着されており、さらに、後面部５１ｂに放熱フィン５４、５５が設けられているため、これらの部品は十分に冷却されている。このため、手前側空間Ｃ側に熱が伝わりにくくなり、耐熱性の低い制御基板６４等が保護される。
【００４２】
また、電装品箱１５の膨出部５６は、電装品箱１５の下部に設けられているため、電装品箱１５上部の送風ファン１４近傍の通風抵抗に対する影響が大きい位置における空気の流路が確保されており、通風抵抗の増加が抑えられている。
（４）電装品箱の特徴
本実施形態の室外ユニット１の電装品箱１５には、以下のような特徴がある。
【００４３】
▲１▼電装品箱１５では、箱本体５１を仕切板５３によって手前側空間Ｃと奥側空間Ｄとに分けた２層構造として電気部品を収納できるようにしているため、種々の形状・サイズを有する電気部品を平面的のみならず、立体的に配置することができるため、箱本体５１内のスペースの無駄を省いて、コンパクト化することが可能になっている。
【００４４】
また、電装品箱１５では、仕切板５３が樹脂製であるため、手前側空間Ｃと奥側空間Ｄとを容易に電気的に遮断することが可能になっている。また、仕切板５３に端子台６３ａ〜６３ｄや制御基板６４等の電気部品を絶縁パッキン等を介することなく直接装着することができるため、構造が簡単になり、スペース性の向上やコストダウンにも寄与している。
【００４５】
▲２▼電装品箱１５では、室外ユニット１の設置後にアクセス頻度の多い制御基板６４等を手前側空間Ｃに配置しているため、制御基板６４の設定時等に、蓋部材５２を取り外すだけで容易にアクセスできるようになっている。
また、電装品箱１５では、仕切板５３に窓部５７が設けられており、仕切板５３を装着したままの状態で奥側空間Ｄに配置されたインバータ６１ａ、６１ｂに必要最低限のアクセスが可能になっている。
【００４６】
▲３▼電装品箱１５では、制御基板６４等の低発熱部品に比べて、発熱量の大きいインバータ６１ａ、６１ｂやリアクタ６１ｃ等の高発熱部品が奥側空間Ｄに配置されているため、ケーシング１２内を流れる空気流を利用して、インバータ６１ａ、６１ｂやリアクタ６１ｃ等の高発熱部品を冷却し易くなっている。
また、電装品箱１５の後面部５１ｂには、ケーシング１２の後板２４側に向かって突出する放熱フィン５４、５５を設けることによって、ケーシング１２内を流れる空気による奥側空間Ｄの冷却を促進することが可能になっている。
【００４７】
▲４▼電装品箱１５では、膨出部５６を設けることによって、手前側空間Ｃ及び奥側空間Ｄの一部を広くすることができるため、ノイズフィルタ６２ａ、６２ｂ等の長寸の電気部品を配置することが可能になっている。
また、膨出部５６は、箱本体５１の下部に設けられているため、室外ユニット１内の通風抵抗の増加を抑えることが可能になっている。
【００４８】
［第２実施形態］
第１実施形態における電装品箱１５では、箱本体５１が板金製であったが、側面部５１ａの上側側面部５１ｅに対応する部分を板金製とし、下側側面部５１ｆに対応する部分を樹脂製とした電装品箱１１５にしてもよい。
具体的には、室外ユニット１０１の電装品箱１１５は、図７に示すように、樹板金箱部１５８と樹脂箱部１５９とからなる箱本体１５１と、蓋部材５２と、仕板５３（具体的には、上部仕切板５３ａ及び下部仕切板５３ｂ）とから構成されている。板金箱部１５８は、上面部１５１ｃと、側面部１５１ａの上側側面部１５１ｅと、後面部１５１ｂの上側後面部１５１ｉとを含む板金製の部材である。樹脂箱部１５９は、側板部１５１ａの下側側面部１５１ｆと、後面部１５１ｂの下側後面部１５１ｊと、下面部１５１ｄとを含む樹脂成形された部材である。
【００４９】
そして、板金箱部１５８と樹脂箱部１５９とは、板金箱部１５８の下端に設けられた複数の爪部１５８ａと、樹脂箱部１５９の上端部に設けられた爪部１５８ａが係止可能な係合孔部１５９ａとによって、互いに固定されている。
このような電装品箱１１５の構成においても、第１実施形態の電装品箱１５と同様に、インバータ６１ａ、６１ｂ及びリアクタ６２等の高発熱部品を板金箱部１５８側に配置することが可能であり、第１実施形態と同様な効果が得られる。
【００５０】
さらに、本実施形態の電装品箱１１５では、箱本体１５１の下部を樹脂製にすることによって、膨出部１５６の成形が容易になるため、箱本体を全て板金製にする場合に比べて、板金の曲げ加工等の手間が減り、電装品箱１１５のコストダウンに寄与できる。
［他の実施形態］
以上、本発明の実施形態について図面に基づいて説明したが、具体的な構成は、これらの実施形態に限られるものではなく、発明の要旨を逸脱しない範囲で変更可能である。
【００５１】
（１）前記実施形態では、仕切板は上下２つに分割されていたが、３つ以上に分割された仕切板でも、分割されていない１枚の仕切板であってもよい。
（２）電気部品の種類、個数及び箱内の配置は、前記実施形態に限定されない。
（３）前記実施形態では、ノイズフィルタが奥側空間に配置されているが、手前側空間に配置されていてもよい。
【００５２】
【発明の効果】
以上の説明に述べたように、本発明によれば、以下の効果が得られる。
請求項１にかかる発明では、箱本体を仕切板によって手前側空間と奥側空間とに分けた２層構造として電気部品を収納できるようにしているため、種々の形状・サイズを有する電気部品を平面的のみならず、立体的に配置することができるため、箱本体内のスペースの無駄を省いて、コンパクト化することが可能になる。
【００５３】
請求項２にかかる発明では、手前側空間と奥側空間とを容易に電気的に遮断することが可能である。
請求項３にかかる発明では、室外ユニットの設置後にアクセス頻度の多い制御基板等の第１電気部品を手前側空間に配置しているため、制御基板の設定時等に、蓋部材を取り外すだけで容易にアクセスすることが可能である。
【００５４】
請求項４にかかる発明では、制御基板等のような低発熱部品に比べて、発熱量の大きいインバータやリアクタ等の高発熱部品が奥側空間に配置されているため、ケーシング内を流れる空気流を利用して冷却し易い。
請求項５にかかる発明では、ケーシングの一側面の反対側に向かって突出する放熱フィンによって、ケーシング内を流れる空気流による奥側空間の冷却を促進することができる。
【００５５】
請求項６にかかる発明では、仕切板に窓部が設けられており、仕切板を装着したままの状態で奥側空間に配置された電気部品にアクセスできる。
請求項７にかかる発明では、膨出部を設けることによって、手前側空間及び奥側空間の一部を広くすることができるため、ノイズフィルタ等の長寸の電気部品を配置することが可能である。
【００５６】
請求項８にかかる発明では、膨出部が箱本体の下部に設けられているため、室外ユニット内の通風抵抗の増加を抑えることができる。
請求項９にかかる発明では、インバータやリアクタ等の発熱量の大きい高発熱部品を板金箱部に配置して、放熱を促進することが可能である。
請求項１０にかかる発明では、膨出部が樹脂成形により形成されているため、成形が容易である。
【図面の簡単な説明】
【図１】本発明の第１実施形態の電装品箱を備えた空気調和装置の室外ユニットの概略斜視図。
【図２】図１をＡ方向から見た図であって、ケーシングの内部断面を示した図。
【図３】第１実施形態の電装品箱の外観を示す斜視図。
【図４】図３をＥ方向から見た図。
【図５】第１実施形態の電装品箱であって、蓋部材を取り外した状態を示す斜視図。
【図６】第１実施形態の電装品箱であって、仕切板を取り外した状態を示す分解斜視図。
【図７】第２実施形態の電装品箱であって、図６に相当する図。
【符号の説明】
１５、１１５  電装品箱
５１、１５１  箱本体
５２  蓋部材
５３  仕切板
Ｃ  手前側空間
Ｄ  奥側空間
【図１】
2004156814.tif 000003
【図２】
2004156814.tif 000004
【図３】
2004156814.tif 000005
【図４】
2004156814.tif 000006
【図５】
2004156814.tif 000007
【図６】
2004156814.tif 000008
【図７】
2004156814.tif 000009